(57)【要約】      （修正有）【課題】一回セットする事により、パーマ施術時におけるパーマ液の液垂れ防止と、頭部以外の肌や衣服にパーマ液や染髪時の染髪液が付着するのを防ぐためのパーマ液垂れ付着防止ヘアーバンド兼用ケープを提供する。【解決手段】液垂れ付着防止へアーバンド兼用ケープ１００は、バンド兼用ケープ部１と、サポートベルト２とからなる。バンド兼用ケープ部１の外装には和紙や長繊維不織布などからなるネットの素材を使用する。本発明によれば、液垂れ付着を完全に防止できるため、ヘアーバンド兼用ケープ１００を一回セットすることにより、パーマ施術が終わるまで取り替える必要もない。【選択図】図１
0003144499.tif 000002
【実用新案登録請求の範囲】
【請求項１】
ネット、織布又は不織布からなる吸水性の外装の中にパーマ液を吸収する吸収体を設け且つユーザの頭部がくる位置に切り欠き部を形成すると共に、２本の突出した帯部が設けられ且つその端部に帯部の端同士を固定する固定手段を有するケープ形状のバンド兼用ケープ部を備えたことを特徴とするパーマ液垂れ付着防止ヘアーバンド兼用ケープ。
【請求項２】
バンド兼用ケープ部は、全体的にケープ形状であって、円形の一部に長方形の突出部分を備え、その突出部分の下端から円中央付近まで切り欠き部が形成され、この切り欠き部は、ユーザの頭部がくる位置が逆Ｕ字形状となり、また、バンド兼用ケープ部の中央円弧部分にサポートベルトの一端が取り付けられ、当該サポートベルトの他端には、接着テープが設けられ、前記バンド兼用ケープ部の突出部分には、２本の突出した足状の帯部が形成され、その端部に着脱可能な接着テープが設けられると共に、一方の帯部の裏面にも、サポートベルトの他端に設けた接着テープと接着する別の接着テープが設けられることを特徴とするパーマ液垂れ付着防止ヘアーバンド兼用ケープ。
【請求項３】
前記バンド兼用ケープ部は、ケープ形状に切り出された複数の外装と、パーマ液を吸収する吸収体とからなり、当該吸収体の形状は前記外装と略相似形状であり且つ若干小さいことを特徴とする請求項２に記載のパーマ液垂れ付着防止ヘアーバンド兼用ケープ。
【請求項４】
前記バンド兼用ケープ部は、広げた状態で円形部分の直径が４０ｃｍ以上１００ｃｍ未満であり、前記切り欠き部の幅が１５ｃｍ以上３０ｃｍ以下であることを特徴とする請求項３に記載のパーマ液垂れ付着防止ヘアーバンド兼用ケープ。
【請求項５】
前記吸収体は、所定形状に仮成形した顆粒状の高分子吸収体であることを特徴とする請求項１〜４のいずれか一つに記載のパーマ液垂れ付着防止ヘアーバンド兼用ケープ。
【請求項６】
前記外装は、吸収性の素材からなることを特徴とする請求項１〜４のいずれか一つに記載のパーマ液垂れ付着防止ヘアーバンド兼用ケープ。
【請求項７】
前記外装は、撥水性の素材からなることを特徴とする請求項１〜６のいずれか一つに記載のパーマ液垂れ付着防止ヘアーバンド兼用ケープ。
【請求項８】
前記外装または吸収体は、生分解性の素材からなることを特徴とする請求項１〜７のいずれか一つに記載のパーマ液垂れ付着防止ヘアーバンド兼用ケープ。
【考案の詳細な説明】
【技術分野】
【０００１】
本考案は、本考案を一回セットする事により、パーマ施術時におけるパーマ液の液垂れ防止と、頭部以外の肌や衣服にパーマ液や染髪時の染髪液が付着するのを防ぐためのパーマ液垂れ付着防止ヘアーバンド兼用ケープに関するものである。
【背景技術】
【０００２】
従来、パーマ施術時には、タオルを紐状に絞り、それを首筋の生え際から額の毛髪の生え際に巻きつけて、その巻きつけているタオルの両端と首筋のロットやタオルにゴム紐を輪状に結んだものを掛けて液垂れを防いでいた。しかし、かかるタオルを紐状としたものでは、液垂れが完全に防げないため、垂れてきた液を数回にわたり乾燥したタオルで拭かなければならなかった。
【０００３】
また、タオルの吸水性には限度があり、パーマ液の液垂れ防止としてタオルを紐状に絞ったものを何度も取り替えなければならなかった。
【０００４】
なお、タオル以外のものとしては、例えば、臥床者をベッドの上で染髪する際に用いられる染髪具（特許文献１）や、襟部から髪の毛や水滴の侵入を防ぐ一般的によく使われている防水性のケープ（特許文献２）や、染髪の際に美容用品として使用する防水性シートのヘアーキャップ兼用ケープ（特許文献３）等があった。
【特許文献１】特開２０００−１９７５１５号公報
【特許文献２】特開２０００−０４１７３５号公報
【特許文献３】特開２００４−２７０１３０号公報
【考案の開示】
【考案が解決しようとする課題】
【０００５】
この考案は、上記問題点を解決するためになされたものである。
【課題を解決するための手段】
【０００６】
本考案のパーマ液垂れ付着防止ヘアーバンド兼用ケープは、ネット、織布又は不織布からなる吸水性の外装の中にパーマ液を吸収する吸収体を設け且つユーザの頭部がくる位置に切り欠き部を形成すると共に、２本の突出した帯部が設けられ且つその端部に帯部の端同士を固定する固定手段を有するケープ形状のバンド兼用ケープ部を備えたことを特徴とする。
【０００７】
また、本考案の本考案のパーマ液垂れ付着防止ヘアーバンド兼用ケープは、バンド兼用ケープ部は、全体的にケープ形状であって、円形の一部に長方形の突出部分を備え、その突出部分の下端から円中央付近まで切り欠き部が形成され、この切り欠き部は、ユーザの頭部がくる位置が逆Ｕ字形状となり、また、バンド兼用ケープ部の中央円弧部分にサポートベルトの一端が取り付けられ、当該サポートベルトの他端には、接着テープが設けられ、前記バンド兼用ケープ部の突出部分には、２本の突出した足状の帯部が形成され、その端部に着脱可能な接着テープが設けられると共に、一方の帯部の裏面にも、サポートベルトの他端に設けた接着テープと接着する別の接着テープが設けられることを特徴とする。また、前記バンド兼用ケープ部は、ケープ形状に切り出された複数の外装と、パーマ液を吸収する吸収体とからなり、当該吸収体の形状は前記外装と略相似形状であり且つ若干小さいことを特徴とする。更に、前記バンド兼用ケープ部は、広げた状態で円形部分の直径が４０ｃｍ以上１００ｃｍ未満であり、前記切り欠き部の幅が１５ｃｍ以上３０ｃｍ以下であることを特徴とする。
【０００８】
また、本考案の本考案のパーマ液垂れ付着防止ヘアーバンド兼用ケープは、上記考案において、前記吸収体は、所定形状に仮成形した顆粒状の高分子吸収体であることを特徴とする。
【０００９】
また、本考案の本考案のパーマ液垂れ付着防止ヘアーバンド兼用ケープは、上記考案において、前記外装は、吸収性の素材からなることを特徴とする。また、前記外装は、撥水性の素材からなることを特徴とする。
【００１０】
また、本考案の本考案のパーマ液垂れ付着防止ヘアーバンド兼用ケープは、上記考案において、更に、前記外装または吸収体は、生分解性の素材からなることを特徴とする。
【考案の効果】
【００１１】
この考案によれば、垂れてきたパーマ液を効果的に吸収するので、液垂れを防止でき、タオルで行う場合に比べて交換等の手間がかからない。
【考案を実施するための最良の形態】
【００１２】
図１は、本考案の実施例に係るヘアーバンド兼用ケープを示す平面図、図２はその背面図、図３はその平面展開図である。また、図４は、図２のＡ−Ａ′断面図、図５は斜視図である。図６はサポートベルト挟持具の斜視図である。この考案のヘアーバンド兼用ケープ１００は、バンド兼用ケープ部１と、サポートベルト２とからなる。
【００１３】
バンド兼用ケープ部１は、図１に示すように、全体的にケープ形状であって、円形の一部に長方形の突出部分を備えた電球形状或いは鍵穴形状をしており、突出部分の図中下端から円中央付近まで切り欠き部１０が形成される。この切り欠き部１０は、ユーザの頭部がくる位置（切り欠き部奥）が逆Ｕ字形状となり、その中央円弧部分に前記サポートベルト２の一端が取り付けられる。サポートベルト２の他端には、マジックファスナー（登録商標）等からなる接着テープ３が設けられる。また、突出部分には、切り欠き部１０を設けた結果、２本の突出した足状の帯部１２が形成され、その端部にマジックファスナー（登録商標）等からなる着脱可能な接着テープ４，５が設けられる。また、一方の帯部１２の裏面（接着テープ５の反対面）にも、マジックファスナー（登録商標）等からなる接着テープ６が設けられる。
【００１４】
バンド兼用ケープ部１は、図３に示すような展開パターンに切り出された外装１ａ，１ｂと、パーマ液を吸収する吸収体８とからなる。吸収体８は、展開した状態の外装１ａ，１ｂの一方側（図３では、外装１ａ）に接着等により仮固定される。その形状は外装１ａ，１ｂと略相似形状であり且つ若干小さい。即ち、吸収体８は、外装１ａ，１ｂの外縁に縫いしろ或いは糊しろを確保できる程度の大きさ及び形状とする。或いは、吸収体８が顆粒状である場合、外装１ａ，１ｂに縫いしろ或いは糊しろを確保できるよう載せ、当該外装１ａ，１ｂで挟み込んで封入する。
【００１５】
当該外装１ａ，１ｂの素材には、引きの強い樹脂混入の和紙のネット、瞬間吸収性及び保水性に優れた長繊維不織布（長い連続した繊維）、ソフトな感触で吸収力の高い化学繊維からなるネットを用いる。また、当該外装１ａ，１ｂは、目の粗い化学繊維からなる布材、細かい孔が多数設けられたシート材を用いることができる。このように外装自体に吸水性があれば、吸収体８との相乗効果でパーマ液をより吸収できる。また、ケープ全体でパーマ液を吸収できる。
【００１６】
また、外装１ａ，１ｂは、ポリプロピレン、ポリエチレン、ポリエステル、ナイロン等の単繊維か、或いはポリプロピレン、ポリエチレン、ポリエステル、ナイロン等からなる複合繊維を用いた、撥水性の不織布や織布としてもよい。撥水性の高い素材により外装１ａ，１ｂを構成することで、パーマ液を吸収した場合でも肌触りをよく保てる。更に、環境面を考慮すると生分解性繊維を用いるのが好ましい。
【００１７】
また、当該吸収体８には、ポリアクリル酸ナトリウムを顆粒状にして所定形状に仮成形した高分子吸収体等を用いる。この他、セルロース等の生分解性のある環境にやさしいものを用いることもできる。
【００１８】
サポートベルト２は、バンド兼用ケープ部１がずれて落ちるのを防止するため、ゴム等の伸縮性のある素材、バンド兼用ケープ部１と同じ外装材料にゴムを織り込んだもの、或いはギャザー状の加工を施したものを用いる。サポートベルト２の端部は、バンド兼用ケープ部１の逆Ｕ字形状部分に固定される。また、サポートベルト２を伸縮する素材で構成し、その内部に吸収体８を入れても良い。更に、図示しないが、サポートベルト２は２本以上でも良い。また、サポートベルト２の幅は、パーマ施術の邪魔にならないよう、２ｃｍ以下とするのが好ましい。
【００１９】
バンド兼用ケープ部１は、吸収体８を一方側の外装に仮固定された状態で、他方側の外装を前記吸収体８を挟むようにして閉じ、図４に示すように、その周縁を接着剤で固定する。なお、図４において符号９，１０は接着層を示すが、この代わりに着脱可能な接着テープ（９，１０）を用い、内部の吸収体８を交換できるようにしても良い。これにより、吸水体８は外装に包まれた状態となる。
【００２０】
なお、バンド兼用ケープ部１の外側周縁に沿って、高い弾性力を有するワイヤーを縫込み、使用時において一定の形を保持するようにさせても良い（図示省略）。ワイヤーの代わりに、外装１ａ，１ｂより固めの高い弾性力を有する紙または生分解性プラスチックからなる帯び材または線材を用いても良い。なお、バンド兼用ケープ部１の形状は、上記図１乃至図５のように略円形でなくてもよい。四角形状等の多角形状でもよい。更に、図示しないが、バンド兼用ケープ部１の周縁に数センチの壁を立設して、大量のパーマ液がこぼれたときにも受け止めて吸収できるようにしても良い。
【００２１】
ヘアーバンド兼用ケープ１００の寸法は、広げた状態で円形部分がユーザの肩幅よりも大きくなる程度が好ましく、例えば直径が約４０ｃｍ以上１００ｃｍ未満である。また、切り欠き部１０の幅は、ユーザの頭の径前後の寸法とするのが好ましく、例えば１５ｃｍ以上３０ｃｍ以下である。切り欠き部１０の長さは、ユーザの頭周囲の寸法とするのが好ましく、例えば４０ｃｍ以上７０ｃｍ以下である。
【００２２】
次に、この考案のヘアーバンド兼用ケープ１００の使用説明をする。図８及び図９に示すように、切り欠き部１０の逆Ｕ字形状の部分が首筋の生え際に当たるようにし、首筋の生え際から額の毛髪の生え際にかけて切り欠き部１０が当たるようにし、帯部１２の先端に設けた接着テープ４，６により固定する。この固定の際、接着テープ４，６の互いの位置を調整することで、ヘアーバンド兼用ケープ１００の絞め具合を調整する。そして、サポートベルト２を後頭部から頭頂部にかけて渡し、その先端に設けた接着テープ３を帯部の接着テープ５に固定する。サポートベルト２は伸縮性の素材から構成されているから、頭のサイズが異なっても無理なく適合できる。このように、この考案のヘアーバンド兼用ケープ１００は、装着が極めて簡単であり、サポートベルト２によって、ヘアーバンド兼用ケープ１００がずれ落ちるのを防止できる。
【００２３】
また、ヘアーバンド兼用ケープ１００の装着状態で、バンド兼用ケープ部１は、図８及び図９に示すように広がって、パーマ施術を行う部位（頭髪のある部位）とその他の部位（顔など）を明確に分離する。また、バンド兼用ケープ部１にワイヤーなどを挿入した場合は、バンド兼用ケープ部１がワイヤー等の弾性力で広がるから、バンド兼用ケープ部１の周縁を装着の際に整える必要がない。
【００２４】
このようにしてヘアーバンド兼用ケープ１００の装着することで、パーマ液が垂れてきても当該パーマ液が外装１ａ，１ｂであるネットを通って内部の吸収体８に吸収される。このため、垂れてきたパーマ液を拭く作業が不要である。また、タオルよりも吸収力の高い吸収体８によりパーマ液を吸収するので、交換の頻度が格段に少なくなる。
【００２５】
また、サポートベルト２が細い紐状であるため、パーマ施術の邪魔にならない。外装１ａ，１ｂについても、ネット状の素材や不織布を用いることで、吸収体８へのパーマ液の吸収を邪魔せず且つ吸収体８が直接ユーザに接しないので、肌触りが良い。美容部員に対しては、パーマ液が効果的に吸収されるので、パーマ液に触れる時間を極めて少なくでき、手荒れ等の問題を軽減できる。
【００２６】
また、近年では、髪型・ロットの種類も多種多様化して、毛髪先のみのパーマをかける場合や、長いロットを縦に使用する髪型などのパーマをかける場合があり、かかる場合には、髪を巻いたロットが顔の近くや肩に吊り下がってしまう。従来のようにタオルを用いていると、タオルを巻き付けている部分からこれらがはみ出してしまっていたが、本考案によれば、バンド兼用ケープ部１を広げることで、ロット等がはみ出さないようにできる。このため、多種多様な髪型のパーマ施術に対応できる。
【００２７】
更に、取り外しも簡単である。即ち、サポートベルト２を取り外し、帯部１２を取り外しだけで完了である。また、安価に製造可能なために使い捨てとでき、使用後に洗濯したりする手間が無くなる上、乾燥のための場所も取らない。
【００２８】
また、別の実施例として、図６及び図７に示すように、サポートベルト２の先端に接着テープ３の代わりにクリップ１１を用いても良い。その場合、帯部の接着テープ５は省略でき、装着状態で額付近で交差して固定される帯部を当該クリップ１１で挟むようにして、サポートベルト２を固定する。
【図面の簡単な説明】
【００２９】
【図１】本考案の実施例に係るパーマ液垂れ付着防止ヘアーバンド兼用ケープを示す平面図である。
【図２】図１に示したパーマ液垂れ付着防止ヘアーバンド兼用ケープを示すの背面図である。
【図３】図１に示したパーマ液垂れ付着防止ヘアーバンド兼用ケープを示す平面展開図である。
【図４】図２のＡ−Ａ′断面図である。
【図５】図１に示したパーマ液垂れ付着防止ヘアーバンド兼用ケープを示すの斜視図である。
【図６】図１に示したパーマ液垂れ付着防止ヘアーバンド兼用ケープのサポートベルト挟持具の斜視図である。
【図７】図６に示した挟持具の詳細図である。
【図８】本考案の使用状態を示す説明図である。
【図９】本考案の使用状態を示す説明図である。
【符号の説明】
【００３０】
１００ ヘアーバンド兼用ケープ
１ バンド兼用ケープ部
２ サポートベルト
３〜６ 接着テープ
８ 吸収体
１１ クリップ
【図１】
0003144499.tif 000003
【図２】
0003144499.tif 000004
【図３】
0003144499.tif 000005
【図４】
0003144499.tif 000006
【図５】
0003144499.tif 000007
【図６】
0003144499.tif 000008
【図７】
0003144499.tif 000009
【図８】
0003144499.tif 000010
【図９】
0003144499.tif 000011
【手続補正書】
【提出日】平成20年5月23日(2008.5.23)
【手続補正１】
【補正対象書類名】実用新案登録請求の範囲
【補正対象項目名】全文
【補正方法】変更
【補正の内容】
【実用新案登録請求の範囲】
【請求項１】
ネット、織布又は不織布からなる吸水性の外装の中にパーマ液を吸収する吸収体を設け且つユーザの頭部がくる位置に切り欠き部を形成すると共に、２本の突出した帯部が設けられ且つその端部に帯部の端同士を固定する固定手段を有するケープ形状のバンド兼用ケープ部を備えたことを特徴とするパーマ液垂れ付着防止ヘアーバンド兼用ケープ。
【請求項２】
前記バンド兼用ケープ部は、全体的にケープ形状であって、円形の一部に長方形の突出部分を備え、その突出部分の下端から円中央付近まで切り欠き部が形成され、この切り欠き部は、ユーザの頭部がくる位置が逆Ｕ字形状となり、また、バンド兼用ケープ部の中央円弧部分にサポートベルトの一端が取り付けられ、当該サポートベルトの他端には、接着テープが設けられ、前記バンド兼用ケープ部の突出部分には、２本の突出した足状の帯部が形成され、その端部に着脱可能な接着テープが設けられると共に、一方の帯部の裏面にも、サポートベルトの他端に設けた接着テープと接着する別の接着テープが設けられることを特徴とする請求項１に記載のパーマ液垂れ付着防止ヘアーバンド兼用ケープ。
【請求項３】
前記バンド兼用ケープ部は、ケープ形状に切り出された複数の外装と、パーマ液を吸収する吸収体とからなり、当該吸収体の形状は前記外装と略相似形状であり且つ若干小さいことを特徴とする請求項２に記載のパーマ液垂れ付着防止ヘアーバンド兼用ケープ。
【請求項４】
前記バンド兼用ケープ部は、広げた状態で円形部分の直径が４０ｃｍ以上１００ｃｍ未満であり、前記切り欠き部の幅が１５ｃｍ以上３０ｃｍ以下であることを特徴とする請求項３に記載のパーマ液垂れ付着防止ヘアーバンド兼用ケープ。
【請求項５】
前記吸収体は、所定形状に仮成形した顆粒状の高分子吸収体であることを特徴とする請求項１〜４のいずれか一つに記載のパーマ液垂れ付着防止ヘアーバンド兼用ケープ。
【請求項６】
前記外装は、吸収性の素材からなることを特徴とする請求項１〜４のいずれか一つに記載のパーマ液垂れ付着防止ヘアーバンド兼用ケープ。
【請求項７】
前記外装は、撥水性の素材からなることを特徴とする請求項１〜６のいずれか一つに記載のパーマ液垂れ付着防止ヘアーバンド兼用ケープ。
【請求項８】
前記外装または吸収体は、生分解性の素材からなることを特徴とする請求項１〜７のいずれか一つに記載のパーマ液垂れ付着防止ヘアーバンド兼用ケープ。